(57)【要約】  本開示の実施例は、データフロー設定方法及び装置を開示する。前記方法において、ＱｏＳデータフローに対応するＤＲＢがソースＤＲＢからターゲットＤＲＢに変換される場合、前記ソースＤＲＢで第１ＱｏＳデータフローの送信完了又は前記ターゲットＤＲＢで第２ＱｏＳデータフローのデータの送信開始を指示する指示情報を、ＳＤＡＰエンティティ受信側に送信することを含み、前記ＱｏＳデータフローのデータは、前記第１ＱｏＳデータフローのデータと前記第２ＱｏＳデータフローのデータを含む。
2021520110.tif 000002
【特許請求の範囲】
【請求項１】
ＳＤＡＰ（Ｓｅｒｖｉｃｅ  Ｄａｔａ  Ａｄａｐｔａｔｉｏｎ  Ｐｒｏｔｏｃｏｌ）エンティティ送信側に応用されるデータフロー設定方法であって、
ＱｏＳ（Ｑｕａｌｉｔｙ−ｏｆ−Ｓｅｒｖｉｃｅ）データフローに対応するＤＲＢ（Ｄａｔｅ  Ｒｅｓｏｕｒｃｅ  Ｂｅａｒｅｒ）がソースＤＲＢからターゲットＤＲＢに変換される場合、前記ソースＤＲＢで第１ＱｏＳデータフローの送信完了又は前記ターゲットＤＲＢで第２ＱｏＳデータフローのデータの送信開始を指示する指示情報を、ＳＤＡＰエンティティ受信側に送信することを含み、
前記ＱｏＳデータフローのデータは、前記第１ＱｏＳデータフローのデータと前記第２ＱｏＳデータフローのデータを含む、データフロー設定方法。
【請求項２】
前記指示情報のフォーマットは、
データ部分を付帯しないＳＤＡＰヘッダ、
予約指示ビットを少なくとも１つ含むＳＤＡＰヘッダ、及び、
少なくとも１つの予約指示ビットを含む制御パケットであるＳＤＡＰヘッダの１つであり、
ここで、前記予約指示ビットは前記指示情報を指示するために使用される、請求項１に記載の方法。
【請求項３】
前記指示情報を送信するためのＤＲＢのＲＬＣエンティティの動作モードに基づいて、前記指示情報の送信回数を特定することを更に含み、
ここで、前記の前記指示情報を送信するためのＤＲＢは、前記ソースＤＲＢ又は前記ターゲットＤＲＢである、請求項１に記載の方法。
【請求項４】
前記のＤＲＢのＲＬＣエンティティの動作モードに基づいて、前記指示情報の送信回数を特定することは、
前記の前記指示情報を送信するためのＤＲＢのＲＬＣエンティティの動作モードが確認モードＡＭである場合、前記指示情報の送信回数が１回であると特定することと、
前記ＤＲＢのＲＬＣエンティティの動作モードが非確認モードＵＭ又は透明モードＴＭである場合、前記指示情報の送信回数がＮ（１より大きい正の整数）回であると特定することとを含む、請求項３に記載の方法。
【請求項５】
前記Ｎは、所定の送信回数に等しく、
前記Ｎは、前記所定の送信回数未満であり、
前記Ｎは、前記所定の送信回数以下であり、
前記Ｎは、前記所定の送信回数よりも大きく、
前記Ｎは、前記所定の送信回数以上であり、
ここで、前記所定の送信回数は、プロトコルによって設定されるか、又はネットワーク側によって予め設定される、請求項４に記載の方法。
【請求項６】
前記の指示情報をＳＤＡＰエンティティ受信側に送信することは、
前記指示情報を前記ＳＤＡＰエンティティ受信側にＭ（１以上の正の整数）回送信することを含む、請求項１に記載の方法。
【請求項７】
前記Ｍは、所定の送信回数に等しく、
前記Ｍは、前記所定の送信回数未満であり、
前記Ｍは、前記所定の送信回数以下であり、
前記Ｍは、前記所定の送信回数よりも大きく、
前記Ｍは、前記所定の送信回数以上であり、
ここで、前記所定の送信回数は、プロトコルによって設定されるか、又は前記ネットワーク側によって予め設定される、請求項６に記載の方法。
【請求項８】
前記の指示情報をＳＤＡＰエンティティ受信側に送信することは、
前記ＱｏＳデータフローのデータが記憶されていない場合、前記指示情報を前記ＳＤＡＰエンティティ受信側に送信することと、
前記ＱｏＳデータフローのデータが記憶されている場合、前記ＱｏＳデータフローの最後のデータを前記ソースＤＲＢに送信した後に、前記指示情報を前記ＳＤＡＰエンティティ受信側に送信することとを含む、請求項１に記載の方法。
【請求項９】
前記第２ＱｏＳデータフローのデータを前記ターゲットＤＲＢによって送信することを更に含む、請求項１に記載の方法。
【請求項１０】
前記の前記第２ＱｏＳデータフローのデータを前記ターゲットＤＲＢによって送信することは、
前記指示情報の送信が開始されると、前記第２ＱｏＳデータフローのデータを前記ターゲットＤＲＢによって送信することと、
前記指示情報の送信が完了すると、前記第２ＱｏＳデータフローのデータを前記ターゲットＤＲＢによって送信することとを含む、請求項９に記載の方法。
【請求項１１】
前記の指示情報をＳＤＡＰエンティティ受信側に送信することは、
前記指示情報を前記ソースＤＲＢ又は前記ターゲットＤＲＢによって前記ＳＤＡＰエンティティ受信側に送信することを含む、請求項１に記載の方法。
【請求項１２】
ＳＤＡＰエンティティ受信側に応用されるデータフロー設定方法であって、
ＱｏＳデータフローに対応するＤＲＢがソースＤＲＢからターゲットＤＲＢに変換される場合、前記ソースＤＲＢでＱｏＳデータフローのデータの送信完了又は前記ターゲットＤＲＢでＱｏＳデータフローのデータの送信開始を指示する指示情報を、ＳＤＡＰエンティティ送信側から受信することを含む、データフロー設定方法。
【請求項１３】
前記ＱｏＳデータフローのデータを受信することと、
前記ＱｏＳデータフローのデータを他のプロトコル層エンティティに送信することとを更に含む、請求項１２に記載の方法。
【請求項１４】
前記ＱｏＳデータフローは、第１ＱｏＳデータフローと第２ＱｏＳデータフローとを含み、
ここで、前記の前記ＱｏＳデータフローのデータを受信することは、
前記第１ＱｏＳデータフローのデータを前記ソースＤＲＢによって受信することと、
前記第２ＱｏＳデータフローのデータを前記ターゲットＤＲＢによって受信することとを含む、請求項１３に記載の方法。
【請求項１５】
前記の前記ＱｏＳデータフローのデータを他のプロトコル層エンティティに送信することは、
前記第１ＱｏＳデータフローのデータを、前記第１ＱｏＳデータフローにおけるデータの受信順に他のプロトコル層エンティティに順次送信することと、
前記第１ＱｏＳデータフローのデータを、前記第１ＱｏＳデータフローにおけるデータの受信順に前記他のプロトコル層エンティティに順次送信した後に、前記第２ＱｏＳデータフローのデータを、前記第２ＱｏＳデータフローにおけるデータの受信順に他のプロトコル層エンティティに順次送信することとを含む、請求項１４に記載の方法。
【請求項１６】
前記の指示情報をＳＤＡＰエンティティ送信側から受信することは、
前記ソースＤＲＢ又はターゲットＤＲＢによって前記指示情報を受信することを含む、請求項１２に記載の方法。
【請求項１７】
前記第１ＱｏＳデータフローのデータと前記第２ＱｏＳデータフローのデータとを記憶することを更に含む、請求項１４に記載の方法。
【請求項１８】
前記の前記第１ＱｏＳデータフローのデータと前記第２ＱｏＳデータフローのデータとを記憶することは、
前記第１ＱｏＳデータフローと前記第２ＱｏＳデータフローにおけるデータの受信順に、前記第１ＱｏＳデータフローのデータと前記第２ＱｏＳデータフローのデータとを記憶することを含む、請求項１７に記載の方法。
【請求項１９】
前記の前記第１ＱｏＳデータフローのデータと前記第２ＱｏＳデータフローのデータとを記憶することは、
前記第１ＱｏＳデータフローのデータを第１記憶位置に記憶し、前記第２ＱｏＳデータフローのデータを第２記憶位置に記憶すること、
又は、前記第１ＱｏＳデータフローのデータと前記第２ＱｏＳデータフローのデータとをターゲット記憶位置に記憶し、前記第１ＱｏＳデータフローのデータと前記第２ＱｏＳデータフローのデータに異なるラベルを割り当てることを含む、請求項１７に記載の方法。
【請求項２０】
ＳＤＡＰエンティティ受信側に応用されるデータフロー設定方法であって、
ＱｏＳデータフローに対応するＤＲＢがソースＤＲＢからターゲットＤＲＢに変換される場合、前記ＱｏＳデータフローのデータは第１ＱｏＳデータフローのデータと第２ＱｏＳデータフローのデータとを含み、前記第１ＱｏＳデータフローのデータを前記ソースＤＲＢによって受信し、前記第２ＱｏＳデータフローのデータを前記ターゲットＤＲＢによって受信することと、
所定のデータ処理規則に基づいて、前記ＱｏＳデータフローのデータに対しデータ処理を行うこととを含み、
ここで、前記所定のデータ処理規則は、少なくとも、
前記ＱｏＳデータフローのデータを他のプロトコル層エンティティに送信しないことと、
前記第２ＱｏＳデータフローのデータを他のプロトコル層エンティティに送信せず、前記第１ＱｏＳデータフローのデータを、前記第１ＱｏＳデータフローにおけるデータの受信順に他のプロトコル層エンティティに順次送信することと、
前記第１ＱｏＳデータフローのデータと前記第２ＱｏＳデータフローのデータとを記憶することとを含む、データフロー設定方法。
【請求項２１】
前記の前記第１ＱｏＳデータフローと前記第２ＱｏＳデータフローとを記憶することは、
前記第１ＱｏＳデータフローと前記第２ＱｏＳデータフローにおけるデータの受信順に、前記第１ＱｏＳデータフローのデータと前記第２ＱｏＳデータフローのデータとを記憶することを含む、請求項２０に記載の方法。
【請求項２２】
前記の前記第１ＱｏＳデータフローと前記第２ＱｏＳデータフローとを記憶することは、
前記第１ＱｏＳデータフローのデータを第１記憶位置に記憶し、前記第２ＱｏＳデータフローのデータを第２記憶位置に記憶すること、
又は、前記第１ＱｏＳデータフローのデータと前記第２ＱｏＳデータフローのデータとをターゲット記憶位置に記憶し、前記第１ＱｏＳデータフローのデータと前記第２ＱｏＳデータフローのデータに異なるラベルを割り当てることを含む、請求項２１に記載の方法。
【請求項２３】
データフロー設定装置であって、
ＱｏＳデータフローに対応するＤＲＢがソースＤＲＢからターゲットＤＲＢに変換される場合、前記ソースＤＲＢで第１ＱｏＳデータフローの送信完了又は前記ターゲットＤＲＢで第２ＱｏＳデータフローのデータの送信開始を指示する指示情報を、ＳＤＡＰエンティティ受信側に送信する送信ユニットを含み、
前記ＱｏＳデータフローのデータは、前記第１ＱｏＳデータフローのデータと前記第２ＱｏＳデータフローのデータを含む、データフロー設定装置。
【請求項２４】
前記指示情報のフォーマットは、
データ部分を付帯しないＳＤＡＰヘッダ、
予約指示ビットを少なくとも１つ含むＳＤＡＰヘッダ、及び、
少なくとも１つの予約指示ビットを含む制御パケットであるＳＤＡＰヘッダの１つであり、
ここで、前記予約指示ビットは前記指示情報を指示するために使用される、請求項２３に記載の装置。
【請求項２５】
前記指示情報を送信するためのＤＲＢのＲＬＣエンティティの動作モードに基づいて、前記指示情報の送信回数を特定する特定ユニットを更に含み、
ここで、前記の前記指示情報を送信するためのＤＲＢは、前記ソースＤＲＢ又は前記ターゲットＤＲＢである、請求項２３に記載の装置。
【請求項２６】
前記特定ユニットは、
前記の前記指示情報を送信するためのＤＲＢのＲＬＣエンティティの動作モードが確認モードＡＭである場合、前記指示情報の送信回数が１回であると特定し、
前記ＤＲＢのＲＬＣエンティティの動作モードが非確認モードＵＭ又は透明モードＴＭである場合、前記指示情報の送信回数がＮ（１より大きい正の整数）回であると特定する、請求項２５に記載の装置。
【請求項２７】
前記Ｎは、所定の送信回数に等しく、又は、
前記Ｎは、前記所定の送信回数未満であり、又は、
前記Ｎは、前記所定の送信回数以下であり、又は、
前記Ｎは、前記所定の送信回数よりも大きく、又は、
前記Ｎは、前記所定の送信回数以上であり、
ここで、前記所定の送信回数は、プロトコルによって設定されるか、又はネットワーク側によって予め設定される、請求項２６に記載の装置。
【請求項２８】
前記送信ユニットは、
前記指示情報を前記ＳＤＡＰエンティティ受信側にＭ（１以上の正の整数）回送信する、請求項２３に記載の装置。
【請求項２９】
前記Ｍは、所定の送信回数に等しく、又は、
前記Ｍは、前記所定の送信回数未満であり、又は、
前記Ｍは、前記所定の送信回数以下であり、又は、
前記Ｍは、前記所定の送信回数よりも大きく、又は、
前記Ｍは、前記所定の送信回数以上であり、
ここで、前記所定の送信回数は、プロトコルによって設定されるか、又は前記ネットワーク側によって予め設定される、請求項２８に記載の装置。
【請求項３０】
前記送信ユニットは、
前記ＱｏＳデータフローのデータが記憶されていない場合、前記指示情報を前記ＳＤＡＰエンティティ受信側に送信し、
前記ＱｏＳデータフローのデータが記憶されている場合、前記ＱｏＳデータフローの最後のデータを前記ソースＤＲＢに送信した後に、前記指示情報を前記ＳＤＡＰエンティティ受信側に送信する、請求項２３に記載の装置。
【請求項３１】
前記第２ＱｏＳデータフローのデータを前記ターゲットＤＲＢによって送信する第１送信ユニットを更に含む、請求項２３に記載の装置。
【請求項３２】
前記第１送信ユニットは、
前記指示情報の送信が開始されると、前記第２ＱｏＳデータフローのデータを前記ターゲットＤＲＢによって送信し、
前記指示情報の送信が完了すると、前記第２ＱｏＳデータフローのデータを前記ターゲットＤＲＢによって送信する、請求項３１に記載の装置。
【請求項３３】
前記送信ユニットは、
前記指示情報を前記ソースＤＲＢ又は前記ターゲットＤＲＢによって前記ＳＤＡＰエンティティ受信側に送信する、請求項２３に記載の装置。
【請求項３４】
データフロー設定装置であって、
ＱｏＳデータフローに対応するＤＲＢがソースＤＲＢからターゲットＤＲＢに変換される場合、前記ソースＤＲＢでＱｏＳデータフローのデータの送信完了又は前記ターゲットＤＲＢでＱｏＳデータフローのデータの送信開始を指示する指示情報を、ＳＤＡＰエンティティ送信側から受信する受信ユニットを含む、データフロー設定装置。
【請求項３５】
前記ＱｏＳデータフローのデータを受信する第１受信ユニットと、
前記ＱｏＳデータフローのデータを他のプロトコル層エンティティに送信する送信ユニットとを更に含む、請求項３４に記載の装置。
【請求項３６】
前記ＱｏＳデータフローは、第１ＱｏＳデータフローと第２ＱｏＳデータフローとを含み、
ここで、前記第１受信ユニットは、
前記第１ＱｏＳデータフローのデータを前記ソースＤＲＢによって受信し、
前記第２ＱｏＳデータフローのデータを前記ターゲットＤＲＢによって受信する、請求項３５に記載の装置。
【請求項３７】
前記送信ユニットは、
前記第１ＱｏＳデータフローのデータを、前記第１ＱｏＳデータフローにおけるデータの受信順に他のプロトコル層エンティティに順次送信し、
前記第１ＱｏＳデータフローのデータを、前記第１ＱｏＳデータフローにおけるデータの受信順に前記他のプロトコル層エンティティに順次送信した後に、前記第２ＱｏＳデータフローのデータを、前記第２ＱｏＳデータフローにおけるデータの受信順に他のプロトコル層エンティティに順次送信する、請求項３６に記載の装置。
【請求項３８】
前記受信ユニットは、
前記ソースＤＲＢ又はターゲットＤＲＢによって前記指示情報を受信する、請求項３４に記載の装置。
【請求項３９】
前記第１ＱｏＳデータフローのデータと前記第２ＱｏＳデータフローのデータとを記憶する記憶ユニットを更に含む、請求項３６に記載の装置。
【請求項４０】
前記記憶ユニットは、
前記第１ＱｏＳデータフローと前記第２ＱｏＳデータフローにおけるデータの受信順に、前記第１ＱｏＳデータフローのデータと前記第２ＱｏＳデータフローのデータとを記憶する、請求項３９に記載の装置。
【請求項４１】
前記記憶ユニットは、
前記第１ＱｏＳデータフローのデータを第１記憶位置に記憶し、前記第２ＱｏＳデータフローのデータを第２記憶位置に記憶し、
又は、前記第１ＱｏＳデータフローのデータと前記第２ＱｏＳデータフローのデータとをターゲット記憶位置に記憶し、前記第１ＱｏＳデータフローのデータと前記第２ＱｏＳデータフローのデータに異なるラベルを割り当てる、請求項３９に記載の装置。
【請求項４２】
ＱｏＳデータフローに対応するＤＲＢがソースＤＲＢからターゲットＤＲＢに変換される場合、前記ＱｏＳデータフローのデータは第１ＱｏＳデータフローのデータと第２ＱｏＳデータフローのデータとを含み、前記第１ＱｏＳデータフローのデータを前記ソースＤＲＢによって受信し、前記第２ＱｏＳデータフローのデータを前記ターゲットＤＲＢによって受信する受信ユニットと、
所定のデータ処理規則に基づいて、前記ＱｏＳデータフローのデータに対しデータ処理を行う処理ユニットとを含み、
ここで、前記所定のデータ処理規則は、少なくとも、
前記ＱｏＳデータフローのデータを他のプロトコル層エンティティに送信しないことと、
前記第２ＱｏＳデータフローのデータを他のプロトコル層エンティティに送信せず、前記第１ＱｏＳデータフローのデータを、前記第１ＱｏＳデータフローにおけるデータの受信順に他のプロトコル層エンティティに順次送信することと、
前記第１ＱｏＳデータフローのデータと前記第２ＱｏＳデータフローのデータとを記憶することとを含む、データフロー設定装置。
【請求項４３】
前記処理ユニットは、前記第１ＱｏＳデータフローと前記第２ＱｏＳデータフローとを記憶する際に、
前記第１ＱｏＳデータフローと前記第２ＱｏＳデータフローにおけるデータの受信順に、前記第１ＱｏＳデータフローのデータと前記第２ＱｏＳデータフローのデータとを記憶する、請求項４２に記載の装置。
【請求項４４】
前記処理ユニットは、
前記第１ＱｏＳデータフローのデータを第１記憶位置に記憶し、前記第２ＱｏＳデータフローのデータを第２記憶位置に記憶し、
又は、前記第１ＱｏＳデータフローのデータと前記第２ＱｏＳデータフローのデータとをターゲット記憶位置に記憶し、前記第１ＱｏＳデータフローのデータと前記第２ＱｏＳデータフローのデータに異なるラベルを割り当てる、請求項４３に記載の装置。
【請求項４５】
プロセッサと、前記プロセッサによって実行可能なコンピュータプログラムが記憶されているメモリと、ネットワークインタフェースと、バスインタフェースを含む端末機器であって、
前記プロセッサは、前記コンピュータプログラムを実行すると、請求項１〜１１のいずれか一項に記載のデータフロー設定方法が実現される、端末機器。
【請求項４６】
プロセッサと、トランシーバと、バスインタフェースと、前記プロセッサによって実行可能なコンピュータプログラムが記憶されているメモリとを含むネットワーク機器であって、
前記プロセッサは、前記コンピュータプログラムを実行すると、請求項１２〜１９のいずれか一項、又は、請求項２０〜２２のいずれか一項に記載のデータフロー設定方法が実現される、ネットワーク機器。
【請求項４７】
コンピュータプログラムが記憶されているコンピュータ読み取り可能な記憶媒体であって、
前記コンピュータプログラムがプロセッサによって実行されると、請求項１〜１１、請求項１２〜１９又は請求項２０〜２２のいずれか一項に記載のデータフロー設定方法が実現される、コンピュータ読み取り可能な記憶媒体。
【発明の詳細な説明】
【技術分野】
【０００１】
本願は、２０１８年４月２日に中国特許庁に提出された中国特許出願２０１８１０２８４１８７．０の優先権を主張し、その全ての内容が援用によりここに取り込まれる。
本開示は、通信分野に係り、特にデータフロー設定方法及び装置に係る。
【背景技術】
【０００２】
５Ｇ（５ｔｈ−Ｇｅｎｅｒａｔｉｏｎ）移動通信システムでは、ＱｏＳ（Ｑｕａｌｉｔｙ−ｏｆ−Ｓｅｒｖｉｃｅ）のネットワーク側指示メカニズムを導入しているため、上り及び下りデータ送信の両方において、ＵＥ（Ｕｓｅｒ  Ｅｑｕｉｐｍｅｎｔ）のＩＰデータフローのＱｏＳ指示情報（例えばＱｏＳ  ｆｌｏｗ  ＩＤ）を加える必要がある。該プロトコル層は、ＰＤＣＰ（Ｐａｃｋｅｔ  Ｄａｔａ  Ｃｏｎｖｅｒｇｅｎｃｅ  Ｐｒｏｔｏｃｏｌ）層の上に位置し、図１に示すように、１つのＳＤＡＰ（Ｓｅｒｖｉｃｅ  Ｄａｔａ  Ａｄａｐｔａｔｉｏｎ  Ｐｒｏｔｏｃｏｌ）エンティティは、１つの上位層のＰＤＵ（Ｐｒｏｔｏｃｏｌ  Ｄａｔａ  Ｕｎｉｔ）セッション（Ｓｅｓｓｉｏｎ）に対応し、１つのＳＤＡＰエンティティは、複数の異なる、図１に示す複数のＰＤＣＰエンティティに対応するＤＲＢ（Ｄａｔｅ  Ｒｅｓｏｕｒｃｅ  Ｂｅａｒｅｒ）にデータフロー（ｆｌｏｗ）を送信する。
【０００３】
ネットワーク側では、端末機器の１つのデータフロー（例えばＱｏＳデータフロー１）の受信側又は送信側のＤＲＢを再設定し（例えば切り替えが生じた場合）、即ち、受信側又は送信側のＤＲＢをＤＲＢ１（即ちソースＤＲＢ）からＤＲＢ２（即ちターゲットＤＲＢ）に変換することができる。
【０００４】
しかしながら、ＳＤＡＰエンティティの受信側又は送信側に対応するＤＲＢがソースＤＲＢからターゲットＤＲＢに変更された後に、異なるＤＲＢ内のデータフローが受信側に到着する次序があるため、受信されたデータフローが上位層のプロトコルエンティティに引き渡される際でも、受信側に到着する次序に引き渡されることをどのように保証することは、依然として対処されるべきである。
【発明の概要】
【発明が解決しようとする課題】
【０００５】
本開示の実施例の目的は、受信されたデータフローが上位層のプロトコルエンティティに引き渡される際でも、受信側に到着する次序に引き渡されることをどのように保証するかという関連技術の問題を解決するために、データフロー設定方法及び装置を提供することである。
【課題を解決するための手段】
【０００６】
上記の技術問題を解決するために、本開示の実施例は以下のように実現される。
【０００７】
第１態様として、ＳＤＡＰ（Ｓｅｒｖｉｃｅ  Ｄａｔａ  Ａｄａｐｔａｔｉｏｎ  Ｐｒｏｔｏｃｏｌ）エンティティ送信側に応用されるデータフロー設定方法を提供し、ＱｏＳ（Ｑｕａｌｉｔｙ−ｏｆ−Ｓｅｒｖｉｃｅ）データフローに対応するＤＲＢ（Ｄａｔｅ  Ｒｅｓｏｕｒｃｅ  Ｂｅａｒｅｒ）がソースＤＲＢからターゲットＤＲＢに変換される場合、前記ソースＤＲＢで第１ＱｏＳデータフローの送信完了又は前記ターゲットＤＲＢで第２ＱｏＳデータフローのデータの送信開始を指示する指示情報を、ＳＤＡＰエンティティ受信側に送信することを含み、前記ＱｏＳデータフローのデータは、前記第１ＱｏＳデータフローのデータと前記第２ＱｏＳデータフローのデータを含む。
【０００８】
第２態様として、ＳＤＡＰエンティティ受信側に応用されるデータフロー設定方法を提供し、ＱｏＳデータフローに対応するＤＲＢがソースＤＲＢからターゲットＤＲＢに変換される場合、前記ソースＤＲＢでＱｏＳデータフローのデータの送信完了又は前記ターゲットＤＲＢでＱｏＳデータフローのデータの送信開始を指示する指示情報を、ＳＤＡＰエンティティ送信側から受信することを含む。
【０００９】
第３態様として、ＳＤＡＰエンティティ受信側に応用されるデータフロー設定方法を提供し、ＱｏＳデータフローに対応するＤＲＢがソースＤＲＢからターゲットＤＲＢに変換される場合、前記ＱｏＳデータフローのデータは第１ＱｏＳデータフローのデータと第２ＱｏＳデータフローのデータとを含み、前記第１ＱｏＳデータフローのデータを前記ソースＤＲＢによって受信し、前記第２ＱｏＳデータフローのデータを前記ターゲットＤＲＢによって受信することと、所定のデータ処理規則に基づいて、前記ＱｏＳデータフローのデータに対しデータ処理を行うこととを含み、ここで、前記所定のデータ処理規則は、少なくとも、前記ＱｏＳデータフローのデータを他のプロトコル層エンティティに送信しないことと、前記第２ＱｏＳデータフローのデータを他のプロトコル層エンティティに送信せず、前記第１ＱｏＳデータフローのデータを、前記第１ＱｏＳデータフローにおけるデータの受信順に他のプロトコル層エンティティに順次送信することと、前記第１ＱｏＳデータフローのデータと前記第２ＱｏＳデータフローのデータとを記憶することとを含む。
【００１０】
第４態様として、データフロー設定装置を提供し、ＱｏＳデータフローに対応するＤＲＢがソースＤＲＢからターゲットＤＲＢに変換される場合、前記ソースＤＲＢで第１ＱｏＳデータフローの送信完了又は前記ターゲットＤＲＢで第２ＱｏＳデータフローのデータの送信開始を指示する指示情報を、ＳＤＡＰエンティティ受信側に送信する送信ユニットを含み、前記ＱｏＳデータフローのデータは、前記第１ＱｏＳデータフローのデータと前記第２ＱｏＳデータフローのデータを含む。
【００１１】
第５態様として、データフロー設定装置を提供し、ＱｏＳデータフローに対応するＤＲＢがソースＤＲＢからターゲットＤＲＢに変換される場合、前記ソースＤＲＢでＱｏＳデータフローのデータの送信完了又は前記ターゲットＤＲＢでＱｏＳデータフローのデータの送信開始を指示する指示情報を、ＳＤＡＰエンティティ送信側から受信する受信ユニットを含む。
【００１２】
第６態様として、データフロー設定装置を提供し、ＱｏＳデータフローに対応するＤＲＢがソースＤＲＢからターゲットＤＲＢに変換される場合、前記ＱｏＳデータフローのデータは第１ＱｏＳデータフローのデータと第２ＱｏＳデータフローのデータとを含み、前記第１ＱｏＳデータフローのデータを前記ソースＤＲＢによって受信し、前記第２ＱｏＳデータフローのデータを前記ターゲットＤＲＢによって受信する受信ユニットと、所定のデータ処理規則に基づいて、前記ＱｏＳデータフローのデータに対しデータ処理を行う処理ユニットとを含み、ここで、前記所定のデータ処理規則は、少なくとも、前記ＱｏＳデータフローのデータを他のプロトコル層エンティティに送信しないことと、前記第２ＱｏＳデータフローのデータを他のプロトコル層エンティティに送信せず、前記第１ＱｏＳデータフローのデータを、前記第１ＱｏＳデータフローにおけるデータの受信順に他のプロトコル層エンティティに順次送信することと、前記第１ＱｏＳデータフローのデータと前記第２ＱｏＳデータフローのデータとを記憶することとを含む。
【発明の効果】
【００１３】
上記の本開示の実施例によって提供される技術手段から、本開示実施例の手段が以下の技術的効果の少なくとも1つを有する。
本開示の実施例において、ＳＤＡＰエンティティ送信側は、ＱｏＳデータフローに対応するＤＲＢがソースＤＲＢからターゲットＤＲＢに変換される場合、ソースＤＲＢで第１ＱｏＳデータフローの送信完了又はターゲットＤＲＢで第２ＱｏＳデータフローの送信開始を指示する指示情報をＳＤＡＰエンティティ受信側に送信することができるため、ＳＤＡＰエンティティ受信側は、該指示情報を受信した後に、ソースＤＲＢによって受信したＱｏＳデータフローとターゲットＤＲＢによって受信したＱｏＳデータフローを区別的に処理することができ、受信したＱｏＳデータフローが受信側に到着する次序に上位層のプロトコルエンティティに順次引き渡されることを保証する。
【００１４】
本開示の実施例において、ＳＤＡＰエンティティ受信側は、ＱｏＳデータフローに対応するＤＲＢがソースＤＲＢからターゲットＤＲＢに変換される場合、ソースＤＲＢで第１ＱｏＳデータフローの送信完了又はターゲットＤＲＢで第２ＱｏＳデータフローの送信開始を指示する指示情報をＳＤＡＰエンティティ送信側から受信することができるため、該指示情報を受信した後に、ソースＤＲＢによって受信したＱｏＳデータフローとターゲットＤＲＢによって受信したＱｏＳデータフローを区別的に処理することができ、受信したＱｏＳデータフローが受信側に到着する次序に上位層のプロトコルエンティティに順次引き渡されることを保証する。
【００１５】
本開示の実施例において、ＳＤＡＰエンティティ受信側は、ＱｏＳデータフローに対応するＤＲＢがソースＤＲＢからターゲットＤＲＢに変換される場合、第１ＱｏＳデータフローをソースＤＲＢによって受信し、前記第２ＱｏＳデータフローを前記ターゲットＤＲＢによって受信した後に、所定のデータ処理規則に基づいて、ＱｏＳデータフローに対しデータ処理を行うことで第１ＱｏＳデータフローと第２ＱｏＳデータフローを区別的に処理することができるため、受信したＱｏＳデータフローが受信側に到着する次序に上位層のプロトコルエンティティに順次引き渡されることを保証する。
【００１６】
本願の実施例や関連技術の技術手段をより明確に説明するために、以下、実施例や関連技術の記載に必要とされる図面を簡単に紹介する。明らかに、以下の記載に関する図面は、単に本願の一部の実施例である。当業者にとって、創造性のある作業をしない前提で、これらの図面から他の図面を得ることもできる。
【図面の簡単な説明】
【００１７】
【図１】関連技術におけるデータフロー伝送の概略図である。
【図２】本開示の実施例に係るデータフロー設定方法の実施フローのフローチャートである。
【図３】本開示の実施例に係る指示情報伝送用のデータフォーマットの概略図である。
【図４】本開示の実施例に係る指示情報伝送用の別のデータフォーマットの概略図である。
【図５】本開示の実施例に係る指示情報伝送用のまた別のデータフォーマットの概略図である。
【図６】本開示の実施例に係る別のデータフロー設定方法の実施フローのフローチャートである。
【図７】本開示の実施例に係るまた別のデータフロー設定方法の実施フローのフローチャートである。
【図８】本開示の実施例に係るデータフロー設定装置の構造図である。
【図９】本開示の実施例に係る別のデータフロー設定装置の構造図である。
【図１０】本開示の実施例に係るまた別のデータフロー設定装置の構造図である。
【図１１】本開示の実施例に係る端末機器の構造図である。
【図１２】本開示の実施例に係るネットワーク側機器の構造図である。
【発明を実施するための形態】
【００１８】
本願の技術手段を当業者によりよく理解してもらうために、以下、本願の実施例の図面とともに、本願の実施例の技術手段を明確且つ完全的に記載する。明らかに、記載する実施例は、本願の実施例の一部であり、全てではない。本願の実施例に基づき、当業者が創造性のある作業をしなくても為しえる全ての他の実施例は、いずれも本願の保護範囲に属するものである。
【００１９】
本願の技術手段は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）／ＬＴＥ−Ａ（Ｌｏｎｇ  Ｔｅｒｍ  Ｅｖｏｌｕｔｉｏｎ  ａｄｖａｎｃｅｄ）、ＮＲ（Ｎｅｗ  Ｒａｄｉｏ）など、様々な通信システムに応用可能である。
【００２０】
ユーザ機器ＵＥ（Ｕｓｅｒ  Ｅｑｕｉｐｍｅｎｔ）は、移動端末（Ｍｏｂｉｌｅ  Ｔｅｒｍｉｎａｌ）、移動ユーザ機器などと称されてもよく、ＲＡＮ（Ｒａｄｉｏ  Ａｃｃｅｓｓ  Ｎｅｔｗｏｒｋ）を介して１つ又は複数のコアネットワークと通信可能である。ユーザ機器は、移動電話（又は「セルラー」電話と称される）などの移動端末や、携帯式、ポータブル式、ハンドヘルド式、コンピュータ内蔵式又は車載の移動装置など、移動端末を有するコンピュータであり、無線アクセスネットワークとは言語及び／又はデータのやり取りを行う。
【００２１】
基地局は、ＧＳＭ又はＣＤＭＡにおけるＢＴＳ（Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、更に、ＬＴＥにおけるｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよいが、本開示では限定せず、記載をしやすくするために、以下の実施例において、ｇＮＢを例として説明する。
【００２２】
背景技術で説明したように、従来技術のＱｏＳデータフローに対応するＤＢＲが、例えばＤＢＲ１（即ちソースＤＢＲ）からＤＢＲ２（即ちターゲットＤＢＲ）に変換した場合、異なるＤＢＲによって伝送されたデータが受信側に到着する順序が異なるため、異なるＤＢＲによって伝送されたデータが受信側に到着した後に、これらの異なるＤＢＲによって伝送されたデータの到着順に受信側が他のプロトコル層エンティティ、即ち上位層のプロトコルエンティティ（例えばＩＰ層）に順次引き渡す（即ち送信する）かは、解決策が必要である。そのためには、関連技術を基礎として、ＱｏＳデータフローに対応するＤＢＲが変更した場合、異なるＤＢＲによって伝送されたデータが受信側に到着した後でその到着順に上位層のプロトコルエンティティに順に引き渡されることを保証するデータフロー設定方法を提案する必要がある。
【００２３】
この問題を解決するために、本開示の実施例は、ＳＤＡＰエンティティの特定の設定情報を予めネットワーク側によって設定するか、又はプロトコルによって取り決める。該特定の設定情報は、１．ＳＤＡＰヘッダを付帯する指示情報、２．指示情報を送信するか否か、３．指示情報の送信回数の１つ又は複数の任意の組み合わせを含む。
【００２４】
図２は、本開示の１つの実施例に係るデータフロー設定方法の実施フローのフローチャートである。図２の方法は、ＳＤＡＰエンティティ送信側によって実行される。該方法は、ＱｏＳデータフローに対応するＤＲＢがソースＤＲＢからターゲットＤＲＢに変換される場合、指示情報をＳＤＡＰエンティティ受信側に送信するステップ１０１を含む。
【００２５】
ここで、上記指示情報は、ソースＤＲＢで第１ＱｏＳデータフローの送信完了又はターゲットＤＲＢで第２ＱｏＳデータフローのデータの送信開始を指示する。上記ＱｏＳデータフローのデータは、第１ＱｏＳデータフローのデータと第２ＱｏＳデータフローのデータを含む。
【００２６】
選択可能に、前記指示情報のフォーマットは、フォーマット１：データ部分を付帯しないＳＤＡＰヘッダと、フォーマット２：予約指示ビットを少なくとも１つ含むＳＤＡＰヘッダと、フォーマット３：少なくとも１つの予約指示ビットを含む制御パケットであるＳＤＡＰヘッダとの１つであり、ここで、前記予約指示ビットは前記指示情報を指示するために使用される。
【００２７】
上記指示情報のフォーマットがフォーマット１であり、データ部分を付帯しないＳＤＡＰヘッダである場合、ＳＤＡＰエンティティ受信端は、データ部分を付帯しないＳＤＡＰヘッダであるＳＤＡＰパケットをＳＤＡＰエンティティ送信端から受信すると、上記指示情報を受信したことを示す。図３は、本開示の実施例に係る指示情報のフォーマットがデータ部分を付帯しないＳＤＡＰヘッダである場合の概略図である。図３は、１Ｏｃｔ（Ｏｃｔｅｔ）のデータ概略図であり、該Ｏｃｔ１は、８ビット（ｂｉｔ）を含み、そのうち最初の２ｂｉｔ（図示のＲ）は、予約ｂｉｔであり、０の値をとり、残りの６ｂｉｔ（図示のＱＦＩ）は、ＱｏＳデータフローＩＤを指示するために使用される。
【００２８】
上記指示情報のフォーマットがフォーマット２であり、予約指示ビットを少なくとも１つ含むＳＤＡＰヘッダである場合、ＳＤＡＰエンティティ受信側は、予約指示ビットを少なくとも１つ含むＳＤＡＰヘッダである１つのＳＤＡＰパケットをＳＤＡＰエンティティ送信端から受信すると、上記指示情報を受信したことを示す。図４は、本開示の実施例に係る指示情報のフォーマットがフォーマット２である場合の概略図である。図４（ａ）は、１Ｏｃｔのデータ概略図であり、そのうち、最初のｂｉｔ（図示のＲ）が予約ｂｉｔであり、０の値を取り、２つ目のｂｉｔ（図示のＥ）が予約指示ビットであり、１の値を取り、残りの６ｂｉｔ（図示のＱＦＩ）がＱｏＳデータフローＩＤを指示することに使用される。図４（ｂ）は、２つのＯｃｔのデータ概略図であり、そのうち、Ｏｃｔ１の８ｂｉｔは、図４（ａ）と同じであり、Ｏｃｔ２は、付帯されるデータ部分（図示のＤａｔａ）である。即ち、上記指示情報のフォーマットがフォーマット２である場合、該ＳＤＡＰパケットは、データ部分を付帯しなくてもよいし、データ部分を付帯してもよい。
【００２９】
上記指示情報のフォーマットがフォーマット３であり、少なくとも１つの予約指示ビットを含むＳＤＡＰヘッダであり、且つ該少なくとも１つの予約指示ビットを含むＳＤＡＰヘッダが制御パケットである場合、ＳＤＡＰエンティティ受信側は、少なくとも１つの予約指示ビットを含むＳＤＡＰヘッダであり且つ制御パケットであるＳＤＡＰパケットをＳＤＡＰエンティティ送信端から受信すると、上記指示情報を受信したことを示す。図５は、本開示の実施例に係る指示情報のフォーマットがフォーマット３である場合の概略図である。図５は、１つのＯｃｔのデータ概略図であり、そのうち、最初のｂｉｔ（図示のＣ／Ｄ）は、該ＳＤＡＰパケットがデータパケットであるか制御パケットであるかを示すｂｉｔであり、０の値をとるとき、該ＳＤＡＰパケットがデータパケットであることを示し、１の値をとるとき、該ＳＤＡＰパケットが制御パケットであることを示し、２つ目のｂｉｔ（図示のＥ）は、予約指示ビットであり、１の値をとり、残りの６ｂｉｔ（図示のＱＦＩ）は、ＱｏＳデータフローＩＤを指示することに使用される。即ち、上記の指示情報のフォーマットがフォーマット３である場合、Ｃ／Ｄの値が１であり、即ち制御パケットであることを満たし、同時に予約指示ビットＥの値が１であることを満たす場合にのみ、該指示情報が有効となる。
【００３０】
ソースＤＢＲ又はターゲットＤＢＲのＲＬＣエンティティの動作モードは、確認モード（ＡＭ）、非確認モード（ＵＭ）及び透明モード（ＴＭ）の３つの動作モードを含むので、本開示の実施例は、データ伝送の信頼性を保証するために、指示情報を送信するためのＤＲＢのＲＬＣ（Ｒａｄｉｏ  Ｌｉｎｋ  Ｃｏｎｔｒｏｌ）エンティティの動作モードに基づいて、指示情報の送信回数を特定するという好適な解決策を提供する。ここで、指示情報を送信するためのＤＲＢは、ソースＤＲＢ又はターゲットＤＲＢである。
【００３１】
ＤＲＢのＲＬＣエンティティの動作モードに基づいて、指示情報の送信回数を特定することは、具体的には、指示情報を送信するためのＤＲＢのＲＬＣエンティティの動作モードがＡＭであれば、ＡＭモード自体がデータ伝送の信頼性を保証できるので、指示情報の送信回数が１回であると特定する。一方、ＤＲＢのＲＬＣエンティティの動作モードがＵＭ又はＴＭである場合、該２種類の動作モード自体がデータ伝送の信頼性を保証できないので、指示情報の送信回数がＮ（Ｎは、１より大きい正の整数）回であると特定する。即ち、該２種類の動作モードにおいて、ＳＤＡＰエンティティの受信端によって指示情報が受信されることを保証するために、ＳＤＡＰエンティティの受信端に指示情報を複数回繰り返して送信する。
【００３２】
ここで、上記Ｎの値は、以下の複数のケースを含む。即ち、Ｎは、所定の送信回数に等しい。又は、Ｎは、所定の送信回数未満である。又は、Ｎは、所定の送信回数以下である。又は、Ｎは、所定の送信回数よりも大きい。又は、Ｎは、所定の送信回数以上である。ここで、前記所定の送信回数は、プロトコルによって設定されるか、又はネットワーク側によって予め設定される。
【００３３】
選択可能に、ＱｏＳデータフローに対応するＤＲＢがソースＤＲＢからターゲットＤＲＢに変換することは、通常、端末機器が切り替える瞬間であるので、このプロセスは、比較的短い期間で行われる。操作及び実現の煩雑さを避けるために、指示情報をＳＤＡＰエンティティ受信側に送信することは、具体的には、指示情報をＳＤＡＰエンティティ受信側にＭ（Ｍは、１以上の正の整数）回送信する。ここで、Ｍが１より大きい正の整数である場合、データ伝送の信頼性を保証するために、ＤＲＢのＲＬＣエンティティの動作モードがＡＭ、ＵＭ、ＴＭであるかにかかわらず、指示情報をＳＤＡＰエンティティ受信側に複数回（Ｍ回）繰り返して送信する。
【００３４】
ここで、上記Ｍの値は、以下の複数のケースを含む。即ち、Ｍは、所定の送信回数に等しい。又は、Ｍは、所定の送信回数未満である。又は、Ｍは、所定の送信回数以下である。又は、Ｍは、所定の送信回数よりも大きい。又は、Ｍは、所定の送信回数以上である。ここで、前記所定の送信回数は、プロトコルによって設定されるか、又は前記ネットワーク側によって予め設定される。
【００３５】
選択可能に、指示情報をＳＤＡＰエンティティ受信側に送信することは、ＱｏＳデータフローのデータが記憶されていない条件１と、ＱｏＳデータフローのデータが記憶されている場合に、そのＱｏＳデータフローの最後のデータをソースＤＲＢに送信した後という条件２の２つの条件でトリガされる。即ち、条件１が満たされる場合、即ち、ＱｏＳデータフローのデータが記憶されていない場合、指示情報をＳＤＡＰエンティティ受信側に送信する。条件２がされる場合、即ちＱｏＳデータフローのデータが記憶されていれば、ＱｏＳデータフローの最後のデータをソースＤＲＢに送信した後に、ＳＤＡＰエンティティ受信端に指示情報を送信する。
【００３６】
なお、本開示の実施例は、第２ＱｏＳデータフローのデータをターゲットＤＲＢによって送信してもよい。具体的には、ターゲットＤＲＢによって第２ＱｏＳデータフローのデータを送信することは、指示情報の送信が開始されると、ターゲットＤＲＢによって第２ＱｏＳデータフローのデータを送信するケース１と、指示情報の送信が完了すると、ターゲットＤＲＢによって前記第２ＱｏＳデータフローのデータを送信するケース２との２種類のケースを含む。また、ＱｏＳデータフローに対応するＤＲＢがソースＤＲＢからターゲットＤＲＢに変更されたことが確認されると、直ちに、ターゲットＤＲＢによって第２ＱｏＳデータフローのデータを送信するようにしてもよい。
【００３７】
選択可能に、本開示の実施例において、指示情報をＳＤＡＰエンティティ受信側に送信することは、ソースＤＲＢによってＳＤＡＰエンティティ受信側に指示情報を送信してもよく、ターゲットＤＲＢによってＳＤＡＰエンティティ受信側に指示情報を送信してもよい。
【００３８】
本開示の実施例において、ＳＤＡＰエンティティ送信側は、ＱｏＳデータフローに対応するＤＲＢがソースＤＲＢからターゲットＤＲＢに変換される場合、ソースＤＲＢで第１ＱｏＳデータフローの送信完了又はターゲットＤＲＢで第２ＱｏＳデータフローの送信開始を指示する指示情報をＳＤＡＰエンティティ受信側に送信することができるため、ＳＤＡＰエンティティ受信側は、該指示情報を受信した後に、ソースＤＲＢによって受信したＱｏＳデータフローとターゲットＤＲＢによって受信したＱｏＳデータフローを区別的に処理することができ、受信したＱｏＳデータフローが受信側に到着する次序に上位層のプロトコルエンティティに順次引き渡されることを保証する。
【００３９】
図６は、本開示の１つの実施例に係る別のデータフロー設定方法の実施フローのフローチャートである。図６の方法は、ＳＤＡＰエンティティ受信側によって実行される。該方法は、ＱｏＳデータフローに対応するＤＲＢがソースＤＲＢからターゲットＤＲＢに変換される場合、前記ソースＤＲＢでＱｏＳデータフローのデータの送信完了又はターゲットＤＲＢでＱｏＳデータフローのデータの送信開始を指示する指示情報を、ＳＤＡＰエンティティ送信側から受信するステップ２０１を含む。
【００４０】
選択可能に、このような場合、ＱｏＳデータフローのデータを受信し、ＱｏＳデータフローのデータを他のプロトコル層エンティティに送信する。ＱｏＳデータフローに対応するＤＲＢがソースＤＲＢからターゲットＤＲＢに変換されるため、ＱｏＳデータフローの一部のデータは、ソースＤＲＢによって受信され、他の一部は、ターゲットＤＲＢによって受信されることになる。説明の便宜上、該２つの部分のデータを第１ＱｏＳデータフロー及び第２ＱｏＳデータフローと呼ぶ。従って、ＱｏＳデータフローは、第１ＱｏＳデータフロー及び第２ＱｏＳデータフローを含む。
【００４１】
従って、ＱｏＳデータフローのデータを受信することは、ソースＤＲＢによって第１ＱｏＳデータフローのデータを受信することと、ターゲットＤＲＢによって第２ＱｏＳデータフローのデータを受信することとを含む。
【００４２】
選択可能に、ＱｏＳデータフローのデータを他のプロトコル層エンティティに送信することは、具体的には、まず、第１ＱｏＳデータフローのデータを、第１ＱｏＳデータフローにおけるデータの受信順に他のプロトコル層エンティティに順次送信し、それから、第２ＱｏＳデータフローのデータを、第２ＱｏＳデータフローにおけるデータの受信順に他のプロトコル層エンティティに順次送信する。即ち、先に受信したデータ（即ちソースＤＲＢによって受信された第１ＱｏＳデータフローのデータ）を先に他のプロトコル層エンティティに引き渡す。
【００４３】
選択可能に、上記の指示情報をＳＤＡＰエンティティ送信側から受信することは、ソースＤＲＢによって、ＳＤＡＰエンティティ送信側からの指示情報を受信してもよいし、ターゲットＤＲＢによって指示情報を受信してもよい。
【００４４】
ＱｏＳデータフローのデータを受信した後に、ＱｏＳデータフローのデータを他のプロトコル層に引き渡す必要があるため、第１ＱｏＳデータフローのデータと第２ＱｏＳデータフローのデータとを記憶してよい。第１ＱｏＳデータフローと第２ＱｏＳデータフローとにおけるデータ受信順を容易に区別し、これらのデータを他のプロトコルエンティティ（例えば上位層のプロトコルエンティティＩＰ層）に引き渡すときに、これらのデータの受信順に順次引き渡すことを保証するために、本開示の実施例において、第１ＱｏＳデータフローと第２ＱｏＳデータフローとを記憶る際に、具体的には、第１ＱｏＳデータフローのデータと第２ＱｏＳデータフローのデータとを、第１ＱｏＳデータフローと第２ＱｏＳデータフローとにおけるデータ受信順に記憶する。
【００４５】
第１ＱｏＳデータフローと第２ＱｏＳデータフローは、ソースＤＲＢとターゲットＤＲＢでそれぞれ受信されるため、第１ＱｏＳデータフローのデータの方は、第２ＱｏＳデータフローのデータよりも受信順が前である。両者を区別しやすいように、以下２つの方式で記憶する。方式１として、第１ＱｏＳデータフローのデータを第１記憶位置に記憶し、第２ＱｏＳデータフローのデータを第２記憶位置に記憶する。方式２として、第１ＱｏＳデータフローのデータと第２ＱｏＳデータフローのデータをターゲット記憶位置に記憶し（即ち、同一位置に記憶する）、第１ＱｏＳデータフローのデータと第２ＱｏＳデータフローのデータに異なるラベルを割り当てる。
【００４６】
本開示の実施例において、ＳＤＡＰエンティティ受信側は、ＱｏＳデータフローに対応するＤＲＢがソースＤＲＢからターゲットＤＲＢに変換される場合、ソースＤＲＢで第１ＱｏＳデータフローの送信完了又はターゲットＤＲＢで第２ＱｏＳデータフローの送信開始を指示する指示情報をＳＤＡＰエンティティ送信側から受信することができるため、該指示情報を受信した後に、ソースＤＲＢによって受信したＱｏＳデータフローとターゲットＤＲＢによって受信したＱｏＳデータフローを区別的に処理することができ、受信したＱｏＳデータフローが受信側に到着する次序に上位層のプロトコルエンティティに順次引き渡されることを保証する。
【００４７】
図７は、本開示の１つの実施例に係るまた別のデータフロー設定方法のフローチャートである。図７の方法は、ＳＤＡＰエンティティ受信側によって実行される。該方法は、ＱｏＳデータフローに対応するＤＲＢがソースＤＲＢからターゲットＤＲＢに変換される場合、該ＱｏＳデータフローのデータは、第１ＱｏＳデータフローのデータと第２ＱｏＳデータフローのデータとを含み、第１ＱｏＳデータフローのデータをソースＤＲＢによって受信し、第２ＱｏＳデータフローのデータをターゲットＤＲＢによって受信するステップ３０１と、所定のデータ処理規則に基づいて、ＱｏＳデータフローのデータに対しデータ処理を行うステップ３０２とを含む。ここで、所定のデータ処理規則は、少なくとも、ＱｏＳデータフローのデータを他のプロトコル層エンティティに送信しないことと、第２ＱｏＳデータフローのデータを他のプロトコル層エンティティに送信せず、第１ＱｏＳデータフローのデータを、前記第１ＱｏＳデータフローにおけるデータの受信順に他のプロトコル層エンティティに順次送信することと、第１ＱｏＳデータフローのデータと第２ＱｏＳデータフローのデータとを記憶することとを含む。
【００４８】
選択可能に、第１ＱｏＳデータフローと第２ＱｏＳデータフローとにおけるデータの受信順の区別を容易にし、これらのデータを他のプロトコル層エンティティ（例えば上位層のプロトコルエンティティＩＰ層）に引き渡す（即ち送信する）際に、これらのデータの受信順に順次引き渡すことを保証するために、本開示の実施例において、第１ＱｏＳデータフローと第２ＱｏＳデータフローとを記憶する際に、具体的には、第１ＱｏＳデータフローと第２ＱｏＳデータフローとにおけるデータの受信順に、第１ＱｏＳデータフローのデータと第２ＱｏＳデータフローのデータとを記憶する。
【００４９】
第１ＱｏＳデータフローと第２ＱｏＳデータフローは、ソースＤＲＢとターゲットＤＲＢでそれぞれ受信されるため、第１ＱｏＳデータフローのデータの方は、第２ＱｏＳデータフローのデータよりも受信順が前である。両者を区別しやすいように、以下２つの方式で記憶する。方式１として、第１ＱｏＳデータフローのデータを第１記憶位置に記憶し、第２ＱｏＳデータフローのデータを第２記憶位置に記憶する。方式２として、第１ＱｏＳデータフローのデータと第２ＱｏＳデータフローのデータをターゲット記憶位置に記憶し（即ち、同一位置に記憶する）、第１ＱｏＳデータフローのデータと第２ＱｏＳデータフローのデータに異なるラベルを割り当てる。
【００５０】
本開示の実施例において、ＳＤＡＰエンティティ受信側は、ＱｏＳデータフローに対応するＤＲＢがソースＤＲＢからターゲットＤＲＢに変換される場合、第１ＱｏＳデータフローをソースＤＲＢによって受信し、前記第２ＱｏＳデータフローを前記ターゲットＤＲＢによって受信した後に、所定のデータ処理規則に基づいて、ＱｏＳデータフローに対しデータ処理を行うことで第１ＱｏＳデータフローと第２ＱｏＳデータフローを区別的に処理することができるため、受信したＱｏＳデータフローが受信側に到着する次序に上位層のプロトコルエンティティに順次引き渡されることを保証する。
【００５１】
図８は、本開示の１つの実施例に係るデータフロー設定装置４００の構造図である。図８に示すように、該データフロー設定装置４００は、ＱｏＳデータフローに対応するＤＲＢがソースＤＲＢからターゲットＤＲＢに変換される場合、前記ソースＤＲＢで第１ＱｏＳデータフローの送信完了又は前記ターゲットＤＲＢで第２ＱｏＳデータフローのデータの送信開始を指示する指示情報を、ＳＤＡＰエンティティ受信側に送信する送信ユニット４０１を含み、前記ＱｏＳデータフローのデータは、前記第１ＱｏＳデータフローのデータと前記第２ＱｏＳデータフローのデータを含む。
【００５２】
選択可能に、前記指示情報のフォーマットは、データ部分を付帯しないＳＤＡＰヘッダ、予約指示ビットを少なくとも１つ含むＳＤＡＰヘッダ、及び、少なくとも１つの予約指示ビットを含む制御パケットであるＳＤＡＰヘッダの１つであり、ここで、前記予約指示ビットは前記指示情報を指示するために使用される。
【００５３】
選択可能に、前記装置は、前記指示情報を送信するためのＤＲＢのＲＬＣエンティティの動作モードに基づいて、前記指示情報の送信回数を特定する特定ユニット４０２を更に含み、ここで、前記の前記指示情報を送信するためのＤＲＢは、前記ソースＤＲＢ又は前記ターゲットＤＲＢである。
【００５４】
選択可能に、前記特定ユニット４０２は、前記の前記指示情報を送信するためのＤＲＢのＲＬＣエンティティの動作モードが確認モードＡＭである場合、前記指示情報の送信回数が１回であると特定し、前記ＤＲＢのＲＬＣエンティティの動作モードが非確認モードＵＭ又は透明モードＴＭである場合、前記指示情報の送信回数がＮ（１より大きい正の整数）回であると特定する。
【００５５】
選択可能に、前記Ｎは、所定の送信回数に等しく、又は、前記Ｎは、前記所定の送信回数未満であり、又は、前記Ｎは、前記所定の送信回数以下であり、又は、前記Ｎは、前記所定の送信回数よりも大きく、又は、前記Ｎは、前記所定の送信回数以上であり、ここで、前記所定の送信回数は、プロトコルによって設定されるか、又はネットワーク側によって予め設定される。
【００５６】
選択可能に、前記送信ユニット４０１は、前記指示情報を前記ＳＤＡＰエンティティ受信側にＭ（１以上の正の整数）回送信する。
【００５７】
選択可能に、前記Ｍは、所定の送信回数に等しく、又は、前記Ｍは、前記所定の送信回数未満であり、又は、前記Ｍは、前記所定の送信回数以下であり、又は、前記Ｍは、前記所定の送信回数よりも大きく、又は、前記Ｍは、前記所定の送信回数以上であり、ここで、前記所定の送信回数は、プロトコルによって設定されるか、又は前記ネットワーク側によって予め設定される。
【００５８】
選択可能に、前記送信ユニット４０１は、前記ＱｏＳデータフローのデータが記憶されていない場合、前記指示情報を前記ＳＤＡＰエンティティ受信側に送信し、前記ＱｏＳデータフローのデータが記憶されている場合、前記ＱｏＳデータフローの最後のデータを前記ソースＤＲＢに送信した後に、前記指示情報を前記ＳＤＡＰエンティティ受信側に送信する。
【００５９】
選択可能に、前記装置は、前記第２ＱｏＳデータフローのデータを前記ターゲットＤＲＢによって送信する第１送信ユニット４０３を更に含む。
【００６０】
データフロー設定装置４００は、図２の方法を実行することもでき、その具体的な実現においては、図２に示す実施例を参照する。
【００６１】
図９は、本開示の１つの実施例に係る別のデータフロー設定装置５００の構造図である。図９に示すように、該データフロー設定装置５００は、ＱｏＳデータフローに対応するＤＲＢがソースＤＲＢからターゲットＤＲＢに変換される場合、前記ソースＤＲＢでＱｏＳデータフローのデータの送信完了又は前記ターゲットＤＲＢでＱｏＳデータフローのデータの送信開始を指示する指示情報を、ＳＤＡＰエンティティ送信側から受信する受信ユニット５０１を含む。
【００６２】
選択可能に、前記装置は、前記ＱｏＳデータフローのデータを受信する第１受信ユニット５０２と、前記ＱｏＳデータフローのデータを他のプロトコル層エンティティに送信する送信ユニット５０３とを更に含む。
【００６３】
選択可能に、前記ＱｏＳデータフローは、第１ＱｏＳデータフローと第２ＱｏＳデータフローとを含み、ここで、前記第１受信ユニット５０２は、前記第１ＱｏＳデータフローのデータを前記ソースＤＲＢによって受信し、前記第２ＱｏＳデータフローのデータを前記ターゲットＤＲＢによって受信する。
【００６４】
選択可能に、前記送信ユニット５０３は、前記第１ＱｏＳデータフローのデータを、前記第１ＱｏＳデータフローにおけるデータの受信順に他のプロトコル層エンティティに順次送信し、前記第１ＱｏＳデータフローのデータを、前記第１ＱｏＳデータフローにおけるデータの受信順に前記他のプロトコル層エンティティに順次送信した後に、前記第２ＱｏＳデータフローのデータを、前記第２ＱｏＳデータフローにおけるデータの受信順に他のプロトコル層エンティティに順次送信する。
【００６５】
選択可能に、前記受信ユニット５０１は、前記ソースＤＲＢ又はターゲットＤＲＢによって前記指示情報を受信する。
【００６６】
選択可能に、前記装置は、前記第１ＱｏＳデータフローのデータと前記第２ＱｏＳデータフローのデータとを記憶する記憶ユニット５０４を更に含む。
【００６７】
選択可能に、前記記憶ユニット５０４は、前記第１ＱｏＳデータフローと前記第２ＱｏＳデータフローにおけるデータの受信順に、前記第１ＱｏＳデータフローのデータと前記第２ＱｏＳデータフローのデータとを記憶する。
【００６８】
選択可能に、前記記憶ユニット５０４は、前記第１ＱｏＳデータフローのデータを第１記憶位置に記憶し、前記第２ＱｏＳデータフローのデータを第２記憶位置に記憶し、又は、前記第１ＱｏＳデータフローのデータと前記第２ＱｏＳデータフローのデータとをターゲット記憶位置に記憶し、前記第１ＱｏＳデータフローのデータと前記第２ＱｏＳデータフローのデータに異なるラベルを割り当てる。
【００６９】
データフロー設定装置５００は、図６の方法を実行することもでき、具体的な実現については、図６に示す実施例を参照する。
【００７０】
図１０は、本開示の１つの実施例に係るまた別のデータフロー設定装置６００の構造図である。図１０に示すように、該データフロー設定装置６００は、ＱｏＳデータフローに対応するＤＲＢがソースＤＲＢからターゲットＤＲＢに変換される場合、前記ＱｏＳデータフローのデータは、第１ＱｏＳデータフローのデータと第２ＱｏＳデータフローのデータとを含み、前記第１ＱｏＳデータフローのデータを前記ソースＤＲＢによって受信し、前記第２ＱｏＳデータフローのデータを前記ターゲットＤＲＢによって受信する受信ユニット６０１と、所定のデータ処理規則に基づいて、前記ＱｏＳデータフローのデータに対しデータ処理を行う処理ユニット６０２とを含む。ここで、前記所定のデータ処理規則は、少なくとも、前記ＱｏＳデータフローのデータを他のプロトコル層エンティティに送信しないこと、前記第２ＱｏＳデータフローのデータを他のプロトコル層エンティティに送信せず、前記第１ＱｏＳデータフローのデータを、前記第１ＱｏＳデータフローにおけるデータの受信順に他のプロトコル層エンティティに順次引き渡すこと、前記第１ＱｏＳデータフローのデータと前記第２ＱｏＳデータフローのデータとを記憶することを含む。
【００７１】
選択可能に、前記処理ユニット６０２は、前記第１ＱｏＳデータフローと前記第２ＱｏＳデータフローとを記憶する際に、前記第１ＱｏＳデータフローと前記第２ＱｏＳデータフローにおけるデータの受信順に、前記第１ＱｏＳデータフローのデータと前記第２ＱｏＳデータフローのデータとを記憶する。
【００７２】
選択可能に、前記処理ユニット６０２は、前記第１ＱｏＳデータフローのデータを第１記憶位置に記憶し、前記第２ＱｏＳデータフローのデータを第２記憶位置に記憶し、又は、前記第１ＱｏＳデータフローのデータと前記第２ＱｏＳデータフローのデータとをターゲット記憶位置に記憶し、前記第１ＱｏＳデータフローのデータと前記第２ＱｏＳデータフローのデータに異なるラベルを割り当てる。
【００７３】
データフロー設定装置６００は、図７に示す方法を実行することもでき、具体的な実現については、図７に示す実施例を参照する。
【００７４】
図１１は、本開示の別の実施例に係る端末機器の構造図である。図１１に示すように、端末機器８００は、少なくとも１つのプロセッサ８１０と、メモリ８２０と、少なくとも１つのネットワークインタフェース８３０と、ユーザインタフェース８４０を含む。端末機器８００における各構成部品は、バスシステム８５０を介して結合される。バスシステム８５０は、これらの構成部品の間の接続と通信に用いられることが理解できる。バスシステム８５０は、データバスのほかに、電源バス、制御バス及び状態信号バスを更に含む。ただし、明確に説明するために、図１１において、各種類のバスをすべてバスシステム８５０として標記している。
【００７５】
ここで、ユーザインタフェース８４０は、ディスプレイ、キーボード又はポインティングデバイス（たとえばマウス、トラックボール（ｔｒａｃｋ  ｂａｌｌ））、タッチパネル又はタッチスクリーンなどを含む。
【００７６】
本開示の実施例におけるメモリ８２０は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ８２０は、これらに限られず、これら及びこれら以外の任意の適合する種類のメモリを含むとする。
【００７７】
一部実施例において、メモリ８２０には、実行可能なモジュール又はデータ構造、又はそれらのサブセット、又は、それらの拡張セットであるオペレーティングシステム８２１とアプリケーションプログラム８２２が記憶されている。
【００７８】
ここで、オペレーティングシステム８２１は、フレーム層、コアライブラリ層、駆動層など各種類のシステムプログラムを含み、各種類のベーシックサービスの実現及びハードウェアに基づくタスクの処理に用いられる。アプリケーションプログラム８２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム８２２に含まれる。
【００７９】
本開示の実施例において、端末機器８００は、メモリ８２０に記憶されてプロセッサ８１０で動作可能なコンピュータプログラムを更に含み、該コンピュータプログラムがプロセッサ８１０によって実行されると、上記データフロー設定方法の各手順が実現され、且つ同じ技術効果を奏することもできるので、重複を避けるために、ここでは繰り返して記載しない。
【００８０】
上記の本開示の実施例に開示される方法は、プロセッサ８１０に応用可能であり、又はプロセッサ８１０によって実現される。プロセッサ８１０は、信号処理能力を有する集積回路チップであり得、実現プロセスにおいて、上記方法の各ステップは、プロセッサ８１０におけるハードウェアの集積論理回路又はソフトウェア形式の指令によって遂行される。上記プロセッサ８１０は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示されるデータフロー設定方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の確立されたコンピュータ読み取り可能な記憶媒体に位置する。該コンピュータ読み取り可能な記憶媒体は、メモリ８２０に位置する。プロセッサ８１０は、メモリ８２０における情報を読み取って、そのハードウェアと組み合わせて上記方法のステップを遂行する。具体的には、該コンピュータ読み取り可能な記憶媒体にはコンピュータプログラムが記憶されており、コンピュータプログラムがプロセッサ８１０によって実行されると、上記のデータフロー設定方法の方法実施例の各ステップが実現される。
【００８１】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【００８２】
ソフトウェアによる実現について、本開示の実施例に記載の機能を実行するモジュール（例えばプロセス、関数など）によって本開示の実施例に記載の技術を実現することができる。ソフトウェアコードは、メモリに記憶されてプロセッサによって実行される。メモリは、プロセッサの中又はプロセッサの外部で実現することができる。
【００８３】
図１２は、本開示の別の実施例に係るネットワーク側機器の構造図である。図１２に示すように、ネットワーク側機器９００は、プロセッサ９１０と、トランシーバ９２０と、メモリ９３０と、バスインタフェースを含む。本開示の実施例において、ネットワーク側機器９００は、メモリ９３０に記憶されて前記プロセッサ９１０で動作可能なコンピュータプログラムを更に含み、前記コンピュータプログラムが前記プロセッサ９１０によって実行されると、上記のデータフロー設定方法の各手順が実現され、且つ同じ技術効果を奏することもできるので、重複を避けるために、ここでは繰り返して記載しない。
【００８４】
図１２において、バスアーキテクチャは、任意数の相互接続するバスとブリッジを含み、具体的には、プロセッサ９１０をはじめとする１つ又は複数のプロセッサとメモリ９３０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９２０は、複数の部品であってもよく、即ち送信機と受信機を含み、伝送媒体でほかの各種類の装置と通信するユニットを提供する。
【００８５】
プロセッサ９１０は、バスアーキテクチャと通常の処理を管理する。メモリ９３０は、プロセッサ９１０による操作実行に使用されるデータを記憶できる。
【００８６】
本開示の実施例は、コンピュータプログラムが記憶されているコンピュータ読み取り可能な記憶媒体を更に提供し、該コンピュータプログラムがプロセッサによって実行されると、上記のデータフロー設定方法の実施例の各手順が実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００８７】
以上の記載は、本開示の好適な実施例に過ぎず、本開示の保護範囲の限定に用いられない。本開示の精神及び原則内に為したあらゆる変更、同等代替、改良などは、いずれも本開示の保護範囲に含まれるべきである。
【００８８】
上記の実施例で説明したシステム、装置、モジュール又はユニットは、具体的には、コンピュータチップ又はエンティティによって実現され、又は、特定機能を有する製品によって実現される。典型的な実現機器は、コンピュータである。具体的には、コンピュータは、例えばパソコン、ラップトップコンピュータ、セルラー電話、カメラ付き携帯電話、スマートフォーン、ＰＤＡ、メディアプレイヤー、ナビゲーション機器、電子メール機器、ゲームコンソール、タブレットパソコン、ウェアラブルデバイス又はそれらの機器のうちの任意の機器の組み合わせである。
【００８９】
コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュール又はほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体又はほかの内部記憶技術、ＣＤ−ＲＯＭ、ＤＶＤ又はほかの光学的記憶媒体、磁気カセット式磁気テープ、磁気ディスク又はほかの磁気記憶デバイス又はほかの任意の非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【００９０】
なお、本明細書において、「含む」や「含有する」又はそれ以外のあらゆる変形用語は、非排他的に含むことを意味する。よって、一連の要素を含むプロセス、方法、商品又は機器は、それらの要素を含むだけではなく、明確に列挙されていない他の要素を更に含み、又はこのようなプロセス、方法、商品又は機器に固有の要素を更に含む。特に限定されない限り、「…を１つ含む」の表現によって限定される要素について、当該要素を含むプロセス、方法、商品又は機器に他の同一要素の存在を除外しない。
【００９１】
本明細書における各実施例は、漸進的に説明され、各実施例は、他の実施形態との相違点を中心に説明され、各実施例間で同様の部分は、互いに参照されたい。特に、システムの実施例の場合、その基本が方法の実施例に似るため、簡単に記載されており、関連箇所については、方法実施例部分の説明を参照されたい。
【符号の説明】
【００９２】
４００、データフロー設定装置
４０１、送信ユニット
４０２、特定ユニット
４０３、第１送信ユニット
５００、データフロー設定装置
５０１、受信ユニット
５０２、第１受信ユニット
５０３、送信ユニット
５０４、記憶ユニット
６００、データフロー設定装置
６０１、受信ユニット
６０２、処理ユニット
８００、端末機器
８１０、プロセッサ
８２０、メモリ
８２１、オペレーティングシステム
８２２、アプリケーションプログラム
８３０、ネットワークインタフェース
８４０、ユーザインタフェース
８５０、バスシステム
９００、ネットワーク側機器
９１０、プロセッサ
９２０、トランシーバ
９３０、メモリ
【図１】
2021520110.tif 000003
【図２】
2021520110.tif 000004
【図３】
2021520110.tif 000005
【図４】
2021520110.tif 000006
【図５】
2021520110.tif 000007
【図６】
2021520110.tif 000008
【図７】
2021520110.tif 000009
【図８】
2021520110.tif 000010
【図９】
2021520110.tif 000011
【図１０】
2021520110.tif 000012
【図１１】
2021520110.tif 000013
【図１２】
2021520110.tif 000014
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
ＳＤＡＰ（Ｓｅｒｖｉｃｅ  Ｄａｔａ  Ａｄａｐｔａｔｉｏｎ  Ｐｒｏｔｏｃｏｌ）エンティティ送信側に応用されるデータフロー設定方法であって、
ＱｏＳ（Ｑｕａｌｉｔｙ−ｏｆ−Ｓｅｒｖｉｃｅ）データフローに対応するＤＲＢ（Ｄａｔｅ  Ｒｅｓｏｕｒｃｅ  Ｂｅａｒｅｒ）がソースＤＲＢからターゲットＤＲＢに変換される場合、前記ソースＤＲＢで第１ＱｏＳデータフローの送信完了又は前記ターゲットＤＲＢで第２ＱｏＳデータフローのデータの送信開始を指示する指示情報を、ＳＤＡＰエンティティ受信側に送信することを含み、
前記ＱｏＳデータフローのデータは、前記第１ＱｏＳデータフローのデータと前記第２ＱｏＳデータフローのデータを含む、データフロー設定方法。
【請求項２】
前記指示情報のフォーマットは、
データ部分を付帯しないＳＤＡＰヘッダ、
予約指示ビットを少なくとも１つ含むＳＤＡＰヘッダ、及び、
少なくとも１つの予約指示ビットを含む制御パケットであるＳＤＡＰヘッダの１つであり、
ここで、前記予約指示ビットは前記指示情報を指示するために使用される、請求項１に記載の方法。
【請求項３】
前記指示情報を送信するためのＤＲＢのＲＬＣエンティティの動作モードに基づいて、前記指示情報の送信回数を特定することを更に含み、
ここで、前記の前記指示情報を送信するためのＤＲＢは、前記ソースＤＲＢ又は前記ターゲットＤＲＢである、請求項１に記載の方法。
【請求項４】
前記のＤＲＢのＲＬＣエンティティの動作モードに基づいて、前記指示情報の送信回数を特定することは、
前記の前記指示情報を送信するためのＤＲＢのＲＬＣエンティティの動作モードが確認モードＡＭである場合、前記指示情報の送信回数が１回であると特定することと、
前記ＤＲＢのＲＬＣエンティティの動作モードが非確認モードＵＭ又は透明モードＴＭである場合、前記指示情報の送信回数がＮ（１より大きい正の整数）回であると特定することとを含み、
ここで、
前記Ｎは、所定の送信回数に等しく、又は
前記Ｎは、前記所定の送信回数未満であり、又は
前記Ｎは、前記所定の送信回数以下であり、又は
前記Ｎは、前記所定の送信回数よりも大きく、又は
前記Ｎは、前記所定の送信回数以上であり、
ここで、前記所定の送信回数は、プロトコルによって設定されるか、又はネットワーク側によって予め設定される、請求項３に記載の方法。
【請求項５】
前記の指示情報をＳＤＡＰエンティティ受信側に送信することは、
前記指示情報を前記ＳＤＡＰエンティティ受信側にＭ（１以上の正の整数）回送信することを含み、
ここで、
前記Ｍは、所定の送信回数に等しく、又は、
前記Ｍは、前記所定の送信回数未満であり、又は、
前記Ｍは、前記所定の送信回数以下であり、又は、
前記Ｍは、前記所定の送信回数よりも大きく、又は、
前記Ｍは、前記所定の送信回数以上であり、
ここで、前記所定の送信回数は、プロトコルによって設定されるか、又はネットワーク側によって予め設定される、請求項１に記載の方法。
【請求項６】
前記の指示情報をＳＤＡＰエンティティ受信側に送信することは、
前記ＱｏＳデータフローのデータが記憶されていない場合、前記指示情報を前記ＳＤＡＰエンティティ受信側に送信することと、
前記ＱｏＳデータフローのデータが記憶されている場合、前記ＱｏＳデータフローの最後のデータを前記ソースＤＲＢに送信した後に、前記指示情報を前記ＳＤＡＰエンティティ受信側に送信することとを含み、
ここで、前記方法は、前記第２ＱｏＳデータフローのデータを前記ターゲットＤＲＢによって送信することを更に含み、
ここで、前記の前記第２ＱｏＳデータフローのデータを前記ターゲットＤＲＢによって送信することは、
前記指示情報の送信が開始されると、前記第２ＱｏＳデータフローのデータを前記ターゲットＤＲＢによって送信することと、
前記指示情報の送信が完了すると、前記第２ＱｏＳデータフローのデータを前記ターゲットＤＲＢによって送信することとを含み、
又は、
前記の指示情報をＳＤＡＰエンティティ受信側に送信することは、
前記指示情報を前記ソースＤＲＢ又は前記ターゲットＤＲＢによって前記ＳＤＡＰエンティティ受信側に送信することを含む、請求項１に記載の方法。
【請求項７】
ＳＤＡＰエンティティ受信側に応用されるデータフロー設定方法であって、
ＱｏＳデータフローに対応するＤＲＢがソースＤＲＢからターゲットＤＲＢに変換される場合、前記ソースＤＲＢでＱｏＳデータフローのデータの送信完了又は前記ターゲットＤＲＢでＱｏＳデータフローのデータの送信開始を指示する指示情報を、ＳＤＡＰエンティティ送信側から受信することを含む、データフロー設定方法。
【請求項８】
前記ＱｏＳデータフローのデータを受信することと、
前記ＱｏＳデータフローのデータを他のプロトコル層エンティティに送信することとを更に含み、
ここで、前記ＱｏＳデータフローは、第１ＱｏＳデータフローと第２ＱｏＳデータフローとを含み、
ここで、前記の前記ＱｏＳデータフローのデータを受信することは、
前記第１ＱｏＳデータフローのデータを前記ソースＤＲＢによって受信することと、
前記第２ＱｏＳデータフローのデータを前記ターゲットＤＲＢによって受信することとを含む、請求項７に記載の方法。
【請求項９】
前記の前記ＱｏＳデータフローのデータを他のプロトコル層エンティティに送信することは、
前記第１ＱｏＳデータフローのデータを、前記第１ＱｏＳデータフローにおけるデータの受信順に他のプロトコル層エンティティに順次送信することと、
前記第１ＱｏＳデータフローのデータを、前記第１ＱｏＳデータフローにおけるデータの受信順に前記他のプロトコル層エンティティに順次送信した後に、前記第２ＱｏＳデータフローのデータを、前記第２ＱｏＳデータフローにおけるデータの受信順に他のプロトコル層エンティティに順次送信することとを含む、請求項８に記載の方法。
【請求項１０】
前記第１ＱｏＳデータフローのデータと前記第２ＱｏＳデータフローのデータとを記憶することを更に含み、
ここで、前記の前記第１ＱｏＳデータフローのデータと前記第２ＱｏＳデータフローのデータとを記憶することは、
前記第１ＱｏＳデータフローと前記第２ＱｏＳデータフローにおけるデータの受信順に、前記第１ＱｏＳデータフローのデータと前記第２ＱｏＳデータフローのデータとを記憶することを含み、
又は、
前記の前記第１ＱｏＳデータフローのデータと前記第２ＱｏＳデータフローのデータとを記憶することは、
前記第１ＱｏＳデータフローのデータを第１記憶位置に記憶し、前記第２ＱｏＳデータフローのデータを第２記憶位置に記憶すること、
又は、
前記第１ＱｏＳデータフローのデータと前記第２ＱｏＳデータフローのデータとをターゲット記憶位置に記憶し、前記第１ＱｏＳデータフローのデータと前記第２ＱｏＳデータフローのデータに異なるラベルを割り当てることを含む、請求項８に記載の方法。
【請求項１１】
前記ＱｏＳデータフローのデータは第１ＱｏＳデータフローのデータと第２ＱｏＳデータフローのデータとを含み、前記第１ＱｏＳデータフローのデータを前記ソースＤＲＢによって受信し、前記第２ＱｏＳデータフローのデータを前記ターゲットＤＲＢによって受信することと、
所定のデータ処理規則に基づいて、前記ＱｏＳデータフローのデータに対しデータ処理を行うこととを更に含み、
ここで、前記所定のデータ処理規則は、少なくとも、
前記ＱｏＳデータフローのデータを他のプロトコル層エンティティに送信しないことと、
前記第２ＱｏＳデータフローのデータを他のプロトコル層エンティティに送信せず、前記第１ＱｏＳデータフローのデータを、前記第１ＱｏＳデータフローにおけるデータの受信順に他のプロトコル層エンティティに順次送信することと、
前記第１ＱｏＳデータフローのデータと前記第２ＱｏＳデータフローのデータとを記憶することとを含む、請求項７に記載の方法。
【請求項１２】
データフロー設定装置であって、
ＱｏＳデータフローに対応するＤＲＢがソースＤＲＢからターゲットＤＲＢに変換される場合、前記ソースＤＲＢで第１ＱｏＳデータフローの送信完了又は前記ターゲットＤＲＢで第２ＱｏＳデータフローのデータの送信開始を指示する指示情報を、ＳＤＡＰエンティティ受信側に送信する送信ユニットを含み、
前記ＱｏＳデータフローのデータは、前記第１ＱｏＳデータフローのデータと前記第２ＱｏＳデータフローのデータを含む、データフロー設定装置。
【請求項１３】
前記指示情報のフォーマットは、
データ部分を付帯しないＳＤＡＰヘッダ、
予約指示ビットを少なくとも１つ含むＳＤＡＰヘッダ、及び、
少なくとも１つの予約指示ビットを含む制御パケットであるＳＤＡＰヘッダの１つであり、
ここで、前記予約指示ビットは前記指示情報を指示するために使用される、請求項１２に記載の装置。
【請求項１４】
データフロー設定装置であって、
ＱｏＳデータフローに対応するＤＲＢがソースＤＲＢからターゲットＤＲＢに変換される場合、前記ソースＤＲＢでＱｏＳデータフローのデータの送信完了又は前記ターゲットＤＲＢでＱｏＳデータフローのデータの送信開始を指示する指示情報を、ＳＤＡＰエンティティ送信側から受信する受信ユニットを含む、データフロー設定装置。
【請求項１５】
コンピュータプログラムが記憶されているコンピュータ読み取り可能な記憶媒体であって、
前記コンピュータプログラムがプロセッサによって実行されると、請求項１〜６、又は請求項７〜１１のいずれか一項に記載のデータフロー設定方法が実現される、コンピュータ読み取り可能な記憶媒体。
【手続補正２】
【補正対象書類名】明細書
【補正対象項目名】０００１
【補正方法】変更
【補正の内容】
【０００１】
本開示は、通信分野に係り、特にデータフロー設定方法及び装置に係る。
【国際調査報告】
2021520110.tif 000015
2021520110.tif 000016
2021520110.tif 000017
2021520110.tif 000018
2021520110.tif 000019
2021520110.tif 000020